【事件の表示】
　特願２０１８−１３１３３７号「遊技機」拒絶査定不服審判事件〔平成３０年１０月１１日出願公開、特開２０１８−１５８１６０号〕について、次のとおり審決する。
【結　論】
　本件審判の請求は、成り立たない。
【理　由】
第１　手続の経緯の概要
　本願は、平成３０年７月１１日の出願であって、平成３１年２月１５日付けで拒絶の理由が通知され、同年４月１８日に意見書及び手続補正書が提出され、令和１年６月２７日付けで最後の拒絶の理由が通知され、同年８月３０日に意見書及び手続補正書が提出されたところ、同年１０月２８日付け（送達日：同年１１月５日）で、同年８月３０日付け手続補正が却下されるとともに拒絶査定（以下「原査定」という。）がなされ、それに対して、令和２年１月１７日に拒絶査定不服審判の請求がなされると同時に手続補正がなされたものである。
　
第２　令和２年１月１７日にされた手続補正についての補正の却下の決定
［補正の却下の決定の結論］
　令和２年１月１７日にされた手続補正（以下「本件補正」という。）を却下する。
　
［理由］
　１　補正の内容
　本件補正により、平成３１年４月１８日付け手続補正書の特許請求の範囲の請求項１における
「【請求項１】
　開口部が形成された遊技盤を備え、遊技者に有利な有利遊技状態になることがある遊技機であって、
　所定の演出を実行可能な演出実行手段を備え、
　前記遊技盤には、前記開口部から視認可能な可動体が設置され、
　前記可動体は、本体部、および、前記本体部に収納されている突出部を有し、
　前記本体部は少なくとも第１の動作と第２の動作を行うことが可能であり、
　前記突出部は、前記本体部に収納されている状態から前記遊技盤の前面よりも前方側に突出することが可能であり、
　前記突出部には、第１の突出部と、第２の突出部と、があり、
　前記演出実行手段は、前記本体部が所定の待機状態から前記第１の動作を行ってから前記第１の突出部が突出する第１演出と、前記第１演出を実行した後に前記第１の突出部を前記本体部に収納し、前記本体部が前記第２の動作を行い、前記第２の突出部が突出する第２演出と、を実行可能であり、
　前記第１演出が実行された場合よりも前記第２演出が実行された場合の方が前記有利遊技状態になる可能性が高いことを特徴とする遊技機。」は、
　審判請求時に提出された手続補正書（令和２年１月１７日付け）の特許請求の範囲の請求項１における
「【請求項１】
　開口部が形成された遊技盤を備え、遊技者に有利な有利遊技状態になることがある遊技機であって、
　所定の演出を実行可能な演出実行手段を備え、
　前記遊技盤には、前記開口部から視認可能な可動体が設置され、
　前記可動体は、本体部、および、前記本体部に収納されている突出部を有し
、
　
　前記突出部には、第１の突出部と、第２の突出部と、があり、
　前記演出実行手段は、
前記本体部が所定の待機状態から所定方向に移動するが、前記第１の突出部および前記第２の突出部が突出しない第１演出と、
前記
前記所定方向に移動した後に第１の方向に回転し、次いで
２
前記本体部が前記所定の待機状態から前記所定方向に移動した後に前記第１の方向に回転し、次いで前記第１の突出部が突出して前記本体部に収納され、そこから
が前記第１の方向と反対の第２の方向に回転し
３
　前記第１演出が実行された場合よりも前記第２演出が実行された場合の方が前記有利遊技状態になる可能性が高
く、且つ前記第２演出が実行された場合よりも前記第３演出が実行された場合の方が前記有利遊技状態になる可能性が高い
　
　２　補正の適否
　２−１　補正の目的及び新規事項について
　本件補正は、補正前の請求項１に記載した発明を特定するために必要な事項である「演出実行手段」が「実行可能」な「第１演出」、「第２演出」に関して、本件補正前に「前記本体部は少なくとも第１の動作と第２の動作を行うことが可能であり、」および「前記演出実行手段は、前記本体部が所定の待機状態から前記第１の動作を行ってから前記第１の突出部が突出する第１演出と、前記第１演出を実行した後に前記第１の突出部を前記本体部に収納し、前記本体部が前記第２の動作を行い、前記第２の突出部が突出する第２演出と、を実行可能であり、」とあったものを、「前記演出実行手段は、
前記本体部が所定の待機状態から所定方向に移動するが、前記第１の突出部および前記第２の突出部が突出しない第１演出と、
前記
前記所定方向に移動した後に第１の方向に回転し、次いで
２
前記本体部が前記所定の待機状態から前記所定方向に移動した後に前記第１の方向に回転し、次いで前記第１の突出部が突出して前記本体部に収納され、そこから
が前記第１の方向と反対の第２の方向に回転し
３
前記
前記所定方向に移動した後に第１の方向に回転
が前記第１の方向と反対の第２の方向に回転
　また、「有利遊技状態になる可能性」の高低に関して、「前記第１演出が実行された場合よりも前記第２演出が実行された場合の方が前記有利遊技状態になる可能性が高いこと」とあったものを、「前記第１演出が実行された場合よりも前記第２演出が実行された場合の方が前記有利遊技状態になる可能性が高
く、且つ前記第２演出が実行された場合よりも前記第３演出が実行された場合の方が前記有利遊技状態になる可能性が高い
　そして、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に掲げる「特許請求の範囲の減縮」を目的とする補正に該当する。
　また、本件補正は、願書に最初に添付した明細書の【０３０４】〜【０３０８】、【０３９９】〜【０４０４】、【図４１】、【図４２】、【図６４】等の記載からみて、新規事項を追加するものではないから、特許法第１７条の２第３項に規定する要件を満たす。
　
　２−２　独立特許要件について
　そこで、本件補正後の請求項１に係る発明（以下「本件補正発明」という。）が特許出願の際に独立して特許を受けることができるものであるか否か、すなわち、特許法第１７条の２第６項において準用する同法第１２６条第７項の規定に適合するか否かについて、以下に検討する。
　
　（１）本件補正発明
　本件補正発明は、次のとおりのものであると認める（記号Ａ〜Ｉは、分説するため当審判合議体にて付した。）。
「Ａ　開口部が形成された遊技盤を備え、遊技者に有利な有利遊技状態になることがある遊技機であって、
　Ｂ　所定の演出を実行可能な演出実行手段を備え、
　Ｃ　前記遊技盤には、前記開口部から視認可能な可動体が設置され、
　Ｄ　前記可動体は、本体部、および、前記本体部に収納されている突出部を有し、
　Ｅ　前記突出部は、前記本体部に収納されている状態から前記遊技盤の前面よりも前方側に突出することが可能であり、
　Ｆ　前記突出部には、第１の突出部と、第２の突出部と、があり、
　Ｇ　前記演出実行手段は、前記本体部が所定の待機状態から所定方向に移動するが、前記第１の突出部および前記第２の突出部が突出しない第１演出と、前記本体部が前記所定の待機状態から前記所定方向に移動した後に第１の方向に回転し、次いで前記第１の突出部が突出する第２演出と、前記本体部が前記所定の待機状態から前記所定方向に移動した後に前記第１の方向に回転し、次いで前記第１の突出部が突出して前記本体部に収納され、そこから前記本体部が前記第１の方向と反対の第２の方向に回転し、前記第２の突出部が突出する第３演出と、を実行可能であり、
　Ｈ　前記第１演出が実行された場合よりも前記第２演出が実行された場合の方が前記有利遊技状態になる可能性が高く、且つ前記第２演出が実行された場合よりも前記第３演出が実行された場合の方が前記有利遊技状態になる可能性が高い
　Ｉ　ことを特徴とする遊技機。」
　
　（２）引用発明
　原査定の拒絶の理由に引用文献１として引用された本願の出願前に電気通信回線を通じて公衆に利用可能となった特許第６３３４７５９号公報（以下「引用文献１」という。）には、図面とともに以下のア〜スの事項が記載されていると共に、以下のセ〜ソの認定事項が示されており、さらに、「変形例２Ｃ」について以下のタの認定事項が示されているものと認められる（下線は当審判合議体にて付した。以下同じ。）。
　　　ア　「【発明が解決しようとする課題】
「【０００４】
　上記特許文献１の遊技機では、演出用可動体を、該演出用可動体の一部が孔部を介して遊技領域側の透明板（第２透過部材）よりも遊技者側に配置されるように設けただけであるため、演出の効果を向上させるのに限界があるという問題があった。
【０００５】
　本発明は、上記実情に鑑みてなされたものであり、演出の効果を向上させることができる遊技機を提供することを目的とする。」
　
　　　イ　「【００３２】
　図１は、本実施の形態におけるパチンコ遊技機の正面図であり、主要部材の配置レイアウトを示す。
パチンコ遊技機
１は、
遊技盤２
から構成されている。遊技盤２には、
遊技領域
１０が形成されている。
・・・
【００３６】
　
遊技盤２における遊技領域１０の中央付近には、演出表示装置５Ａ，５Ｘ，５Ｙが設けられている。
・・・
【００３９】
　また、これら演出表示装置５Ａ，５Ｘ，５Ｙは、遊技盤２よりも背面側に配設され、該
遊技盤２に形成された開口２ｃ
　
　　　ウ　「【００８６】
　本実施の形態では、
遊技領域１０とは、遊技球が流下可能な領域
と、開口２ｃに対応する領域、つまり、演出表示装置５Ａ，５Ｘ，５Ｙや後述する各種可動体が遊技者から視認可能に設けられる領域と、を含む
　
　　　エ　「【００９３】
　次に、図１０〜図１８に基づいて、
第１可動体３００
を有する可動体ユニット
【００９４】
　このように
演出制御用ＣＰＵ１２０は、
演出図柄の変動表示制御や予告演出といった遊技に関連する各種演出を実行可能とされている。
・・・
【００９７】
　図１０〜図１８に示すように、
可動体ユニットは、遊技盤２と該遊技盤２の背面側に設けられる演出表示装置５Ａ，５Ｘ，５Ｙとの間に設けられ、
第１可動体３００、第２可動体４００、第３可動体５００Ｌ，５００Ｒ及び第４可動体６００Ｌ，６００Ｒと、を有する。
可動体ユニットは、
動作待機形態、第１動作形態、第２動作形態に変化可能である。
【００９８】
　
第１可動体３００は、
本体部３０２と、本体部３０２に対し突出及び収納動作可能に取付けられる第１突出部３０３及び第２突出部３０４と
から主に構成されている。
　
　　　オ　「【０１０３】
　
第１突出部３０３は、
本体部３０２に内蔵される第１収納状態
と、本体部３０２の面Ａから外方へ突出する第１突出状態
と、に切換え可能となっている。
【０１０４】
　
第２突出部３０４は、
本体部３０２に一部内蔵される第２収納状態
と、本体部３０２の面Ｂから外方へ突出する第２突出状態
と、に切換え可能となっている。第２収納状態にあっては、第１突出部３０３（「第２突出部３０４」の誤記と認める。）の一部が本体部３０２の面Ｂよりも外方に突出しているが、前記回動待機状態や第１回動状態において面Ｂの背面側に配置されているため、遊技者（正面側）から目立たなくなっている。
　
　　　カ　「【０１０９】
　また、図１１に示すように、
可動体ユニットの第１動作形態にあっては、第１可動体３００が第１演出位置
に配置されており、第１可動体３００は、第１回動状態であるとともに、第１突出部３０３は、第１突出状態となり、第２突出部３０４は、第２収納状態となっている。このとき、第１可動体３００
及び第１突出部３０３が演出表示装置５Ａ，５Ｘ，５Ｙの前面側に配置され、
【０１１０】
　また、図１２に示すように、
可動体ユニットの第２動作形態にあっては、第１可動体３００が第１演出位置
に配置されており、第１可動体３００は、第２回動状態であるとともに、第１突出部３０３は、第１収納状態となり、第２突出部３０４は、第２突出状態となっている。このとき、第１可動体３００
及び第２突出部３０４が演出表示装置５Ａ，５Ｘ，５Ｙの前面側に配置され、
・・・
【０１１３】
　次に、
演出制御用ＣＰＵ１２０による可動体ユニットの動作制御
【０１１４】
　図１３及び図１６に示すように、可動体ユニットの動作待機形態にあっては、第１可動体３００は、第１待機位置において、本体部３０２の面Ａ側（前側）の一部が後透過板２６１の孔部２７０を介して後透過板２６１よりも前透過板２５１側、つまり前側に位置している（特に、図１３及び図１６の実線部分参照）。
【０１１５】
　本実施の形態における可動体演出では、図１９に示すように、演出制御用ＣＰＵ１２０は、可動体演出の開始条件が成立する（例えば、可動演出の実行中における操作手段（例えば、演出ボタンやスティックコントローラ３１Ａなど）の操作受付期間中に操作手段の操作を検出したときや、操作有効期間が終了して可動体の実行タイミングとなったときなど）と、第１可動体３００、第２可動体４００、第３可動体５００Ｌ，５００Ｒを動作させる。演出用ＬＥＤ９は、第１発光態様により発光演出を行う。
【０１１６】
　詳しくは、
第１可動体３００は、
第１待機位置から第１演出位置に向けて斜め下方向に移動する
本体部３０２の面Ａ側（前側）の所定部（前半分）が後透過板２６１の孔部２７０を介して後透過板２６１よりも前透過板２５１側に位置し、本体部３０２が第１待機位置よりも前方側に配置される。つまり、演出制御用ＣＰＵ１２０は、第１待機位置にある第１可動体３００を、本体部３０２の面Ａ側（前側）の所定部（前半分）が後透過板２６１の孔部２７０を介して後透過板２６１よりも前透過板２５１側に位置するまで前側に移動させる第１制御を実行可能である。
【０１１７】
　
第１可動体３００
が所定位置まで移動すると、
第１可動体３００が第１回動状態となるように
右側面視反時計回りに回動させる
演出制御用ＣＰＵ１２０は、第１可動体３００が第１回動位置センサに検出された
【０１１８】
　次いで、演出制御用ＣＰＵ１２０は、演出用ＬＥＤ９を第２発光態様により発光させるとともに、第３駆動機構３３０により第１突出部３０３を前記第１突出位置センサに検出されるまで本体部３０２の面Ａから外方へ突出させ第１突出状態とする。前述のように
第１可動体３００の第１回動状態にあっては、
第１突出部３０３は斜め前上方に向けて突出する
【０１１９】
　このように、
第１可動体３００は、本体部３０２が斜め前方下側に移動した後、第１突出部３０３が前透過板２５１と後透過板２６１との間に形成された空間部Ｓで斜め前方側上方に突出するため、後透過板２６１に接触させることなく、第１突出部３０３の移動動作を好適に見せることができる。また、第１動作形態や第２動作形態に変化する際においても、前透過板２５１に接触することはない。
　
　　　キ　「【０１２５】
　次に、演出制御用ＣＰＵ１２０は、
可動体ユニットの第１動作形態の状態が所定時間経過したことに基づいて、第１突出部３０３を
第１収納状態とするとともに、
第１可動体３００が第２回動状態となるように
右側面視時計回りに回動させる
第２回動位置
【０１２６】
　そして、
第２突出部３０４を前記第２突出位置センサに検出されるまで突出させて第２突出状態とする
　
　　　ク　「【０１５０】
　特図ゲームでは、特別図柄の変動表示を開始させた後、変動表示時間が経過すると確定特別図柄（特図表示結果）を導出表示する。このとき、特定の特別図柄（大当り図柄、例えば「３」、「７」などの特図）が停止表示されれば、特定表示結果としての「大当り」となり、大当り図柄とは異なる特別図柄（ハズレ図柄、例えば「−」などの特図）が停止表示されれば「はずれ」となる。特図ゲームでの変動表示結果が「大当り」になった後には、
遊技者にとって有利なラウンド
を所定回数実行する特定遊技状態としての大当り遊技状態に制御される。
　
　　　ケ　「【０２０９】
　Ｓ３２３の処理の後、
演出制御用ＣＰＵ１２０は、
スーパーリーチＡのリーチ演出の場合に可動体を動作させる可動体演出設定処理
を実行する。
・・・
【０２１１】
　図３０（Ｂ）に示すように、
スーパーリーチＡ（ハズレ）変動パターンの場合は、
「動作パターンＰＴＡ−１（
第１動作形態）」が５５％の確率で決定され、
「動作パターンＰＴＡ−２（
第１動作形態となった後に
第２動作形態）」
これに対して、スーパーリーチＡ（大当り）変動パターンの場合は、
「動作パターンＰＴＡ−１（第１動作形態）」
「動作パターンＰＴＡ−２（第１動作形態後に第２動作形態）」
スーパーリーチＡ（大当り）変動パターンの場合は、スーパーリーチＡ（ハズレ）変動パターンの場合よりも、「動作パターンＰＴＡ−２（第１動作形態後に第２動作形態）」の可動体演出が実行され易くなっており
　
　　　コ　「【０２８５】
　（変形例２Ａ）
上記実施の形態では、第１可動体３００は、第１駆動機構３１０により第１待機位置（原点位置）から第１演出位置に向けて斜め下方向に移動する（図１６の矢印１参照）ようにしているが、これに限定されない。
　
　　　サ　「【図１６】：動作待機形態の可動体ユニットを側面から見た概略図である。
　　　　　　　　　　　　　　　　　　　　　　　　　　　　　　　　　」
　
　　　シ　「【０２８７】
　（変形例２Ｃ）
　
また、図３９に示す変形例２Ｃのように、第１可動体３００は、凹円弧状経路ＲＴ１の途中位置ＰＳ１と該途中位置ＰＳ１よりも進出した進出位置ＰＳ２とに進出可能であり、第１可動体３００が途中位置ＰＳ１に進出する場合と、第１可動体３００が進出位置ＰＳ２に進出する場合とで、有利状態に制御される期待度（例えば、大当り期待度など）が異なるようにしてもよい。変形例２Ｃによれば、第１可動体３００が途中位置ＰＳ１に進出する場合と、第１可動体３００が進出位置ＰＳ２に進出する場合とで、有利状態に制御される期待度（例えば、大当り期待度など）が異なる
途中位置ＰＳ１よりも進出位置ＰＳ２の方が、期待度が高い場合には、進出位置ＰＳ２では途中位置ＰＳ１よりも遊技者に近い位置での動作演出となることと相まって、可動体演出の効果を高める
　
　　　ス　「【図３９】：変形例２Ｃの第１可動体の複数位置停止を示す説明図である。
　
　　　　　　　　　　　　　　　　　　　　　　　　　　　　　　　　　」
　
　　　セ　【０１１８】に「第１突出部３０３を・・・本体部３０２の面Ａから外方へ突出させ第１突出状態とする。・・・第１突出部３０３は斜め前上方に向けて突出する」との記載、及び、【図１７】（：第１動作形態の可動体ユニットを側面から見た概略図である。）の第１突出状態にある第１突出部３０３が遊技盤２００の前方に位置する図示内容から、引用文献１には、次の技術事項が記載されている。
「本体部３０２から斜め前上方に向けて突出され、第１突出状態にある第１突出部３０３が遊技盤２００の前方に位置すること。」
　
「【図１７】：第１動作形態の可動体ユニットを側面から見た概略図である。
　　　　　　　　　　　　　　　　　　　　　　　　　　　　　　　　　」
　
　　　ソ　【０１２６】に「第２突出部３０４を・・・突出させて第２突出状態とする。」との記載、及び、【図１８】（：第２動作形態の可動体ユニットを側面から見た概略図である。）の第２突出状態にある第２突出部３０４が遊技盤２００の斜め前上方に向けて突出され、遊技盤２００の前方に位置する図示内容から、引用文献１には、次の技術事項が記載されている。
「本体部３０２から斜め前上方に向けて突出され、第２突出状態にある第２突出部３０４が遊技盤２００の前方に位置すること。」
　
「【図１８】：第２動作形態の可動体ユニットを側面から見た概略図である。
　　　　　　　　　　　　　　　　　　　　　　　　　　　　　　　　　」
　
　　　タ　変形例２Ｃについての認定事項
　変形例２のうち、まず、「変形例２Ａ」に関して、【０２８５】に「（変形例２Ａ） 上記実施の形態では、第１可動体３００は、第１駆動機構３１０により第１待機位置（原点位置）から第１演出位置に向けて斜め下方向に移動する（図１６の矢印１参照）ようにしているが、これに限定されない。図３７に示す変形例２Ａのように、第１可動体３００が原点位置Ｐ０から第２位置Ｐ２に凹円弧状経路ＲＴ１で動作するようにしたり、凸円弧状経路ＲＴ２で動作するようにしたりしてもよい。」と記載されている。
　この記載によれば、実施の形態における「第１演出位置」は、変形例２Ａにおける「第２位置Ｐ２」に対応しているといえる。
　一方、「変形例２Ｃ」について、【０２８７】に「また、図３９に示す変形例２Ｃのように、第１可動体３００は、凹円弧状経路ＲＴ１の途中位置ＰＳ１と該途中位置ＰＳ１よりも進出した進出位置ＰＳ２とに進出可能であり、第１可動体３００が途中位置ＰＳ１に進出する場合と、第１可動体３００が進出位置ＰＳ２に進出する場合とで、有利状態に制御される期待度（例えば、大当り期待度など）が異なるようにしてもよい。」と記載されている。
　この「第１可動体３００は、凹円弧状経路ＲＴ１の途中位置ＰＳ１と該途中位置ＰＳ１よりも進出した進出位置ＰＳ２とに進出可能であり」との記載より、変形例２Ｃにおける「凹円弧状経路ＲＴ１」は、変形例２Ａにおける「凹円弧状経路ＲＴ１」に対応するものといえて、変形例２Ｃにおける「進出位置ＰＳ２」は、変形例２Ａにおける「第２位置Ｐ２」に対応する。
　そうすると、変形例２Ａにおける「第２位置Ｐ２」が、実施の形態における「第１演出位置」に対応するから、変形例２Ｃにおける「進出位置ＰＳ２」は、実施の形態における「第１進出位置」に対応する。
　また、【０１１３】に「演出制御用ＣＰＵ１２０による可動体ユニットの動作制御・・・」との記載がある。
　
　したがって、引用文献１には、「変形例２Ｃ」について、次の技術事項が記載されている。
「演出制御用ＣＰＵ１２０は、第１可動体３００を、第１演出位置に進出させるように動作制御することに加えて、凹円弧状経路ＲＴ１の途中位置ＰＳ１に進出させるように動作制御し、
　途中位置ＰＳ１に進出させる場合よりも、第１進出位置に進出させる場合の方が、遊技者に近い位置での動作演出となることと相まって、可動体演出の効果を高めて大当り期待度を高くすることができる（【０２８５】、【０２８７】）こと。」
　
　　　チ　引用発明
　上記ア〜スの記載事項及び上記セ〜タの認定事項を総合すると、引用文献１には、次の発明（以下「引用発明」という。）が記載されていると認められる（ａ〜ｉは、本件補正発明のＡ〜Ｉに対応させて当審判合議体にて付与した。）。
「ａ　遊技領域１０が形成され、開口２ｃが形成された遊技盤２を備え、遊技者にとって有利なラウンドを所定回数実行する特定遊技状態としての大当り遊技状態に制御可能なパチンコ遊技機１（【００３２】、【００３９】、【０１５０】）であって、
　
　ｂ　演出図柄の変動表示制御や予告演出といった遊技に関連する各種演出を実行可能とされている演出制御用ＣＰＵ１２０（【００９４】）と、
　
　ｃ　遊技盤２と該遊技盤２の背面側に設けられる演出表示装置５Ａ，５Ｘ，５Ｙとの間に設けられ、第１可動体３００、第２可動体４００、第３可動体５００Ｌ，５００Ｒ及び第４可動体６００Ｌ，６００Ｒを有し、動作待機形態、第１動作形態、第２動作形態に変化可能である可動体ユニット（【００９７】）と、を備え、
　　　遊技領域１０には、遊技球が流下可能な領域と、演出表示装置５Ａ，５Ｘ，５Ｙや各種可動体が遊技者から視認可能に設けられる、開口２ｃに対応する領域と、が含まれ(【００８６】)、
　
　ｄ、ｆ　第１可動体３００は、本体部３０２と、本体部３０２に対し突出および収納動作可能に取付けられる第１突出部３０３および第２突出部３０４とから主に構成され（【００９８】）、
　第１突出部３０３は、本体部３０２に内蔵される第１収納状態と、本体部３０２の面Ａから外方へ突出する第１突出状態と、に切換え可能となっており（【０１０３】）、
　第２突出部３０４は、本体部３０２に一部内蔵される第２収納状態と、本体部３０２の面Ｂから外方へ突出する第２突出状態と、に切換え可能となっており、第２収納状態にあっては、その一部が本体部３０２の面Ｂよりも外方に突出しているが、回動待機状態や第１回動状態において面Ｂの背面側に配置されているため、遊技者（正面側）から目立たなくなっており（【０１０４】）、
　
　ｅ　可動体ユニットの第１動作形態にあって、第１演出位置に配置された第１可動体３００は、第１回動状態であるとともに、第１突出部３０３は、第１突出状態となり、第２突出部３０４は、第２収納状態となっており、このとき、第１可動体３００及び第１突出状態にある第１突出部３０３が演出表示装置５Ａ，５Ｘ，５Ｙの前面側に配置され、
　可動体ユニットの第２動作形態にあって、第１演出位置に配置された第１可動体３００は、第２回動状態であるとともに、第１突出部３０３は、第１収納状態となり、第２突出部３０４は、第２突出状態となっており、このとき、第１可動体３００及び第２突出状態にある第２突出部３０４が演出表示装置５Ａ，５Ｘ，５Ｙの前面側に配置され（【００３６】、【０１０９】〜【０１１０】）、
　本体部３０２から斜め前上方に向けて突出され、第１突出状態にある第１突出部３０３、及び、第２突出状態にある第２突出部３０４が遊技盤２００の前方に位置し（認定事項セ、ソ）、
　
　ｇ　演出制御用ＣＰＵ１２０は、第１可動体３００を有する可動体ユニットを動作待機形態、第１動作形態、第２動作形態に変化可能に動作制御し（【００９７】、【０１１３】）、
　可動体ユニットの第１動作形態にあっては、
　　第１可動体３００が、
　　　第１待機位置から斜め下方向に移動して第１演出位置に配置され、
　　　次に、右側面視反時計回りに第１回動位置まで回動されて第１回動状態とされ、
　　　その次に、第１突出部３０３を第１突出状態としたものであり（【０１０３】、【０１０９】、【０１１６】〜【０１１８】）、
　
　可動体ユニットの第２動作形態にあっては、
　　第１可動体３００が、
　　　第１動作形態の状態が所定時間経過したことに基づいて、第１突出部３０３を第１収納状態とし、
　　　次に、右側面視時計回りに第２回動位置まで回動されて第２回動状態とされ、
　　　その次に、第２突出部３０４を第２突出状態としたものであり（【０１０４】、【０１１０】、【０１２５】〜【０１２６】）、
　
　第１可動体３００は、本体部３０２が斜め前方下側に移動した後、第１突出部３０３が前透過板２５１と後透過板２６１との間に形成された空間部Ｓで斜め前方側上方に突出するため、後透過板２６１に接触させることなく、第１突出部３０３の移動動作を好適に見せることができ、また、第１動作形態や第２動作形態に変化する際においても、前透過板２５１に接触することはなく（【０１１９】）、
　
　第１可動体３００を、第１演出位置に進出させるように動作制御することに加えて、凹円弧状経路ＲＴ１の途中位置ＰＳ１に進出させるように動作制御し（認定事項タ）、
　
　ｈ　途中位置ＰＳ１に進出させる場合よりも、第１進出位置に進出させる場合の方が、遊技者に近い位置での動作演出となることと相まって、可動体演出の効果を高めて大当り期待度を高くすることができ（認定事項セ）、
　演出制御用ＣＰＵ１２０により実行される可動体演出設定処理において、スーパーリーチＡ（ハズレ）変動パターンの場合は、「動作パターンＰＴＡ−１（第１動作形態）」が５５％の確率で決定され、「動作パターンＰＴＡ−２（第１動作形態となった後に第２動作形態）」が３０％の確率で決定され、スーパーリーチＡ（大当り）変動パターンの場合は、「動作パターンＰＴＡ−１（第１動作形態）」が２０％の確率で決定され、「動作パターンＰＴＡ−２（第１動作形態後に第２動作形態）」が７０％の確率で決定される（【０２１１】）
　
　ｉ　パチンコ遊技機１（【００３２】）。」
　
（３）引用文献１に記載された技術事項
　引用文献１には、「発明の一実施の形態」に関して、【０２１１】に「スーパーリーチＡ変動パターン」に、「動作パターンＰＴＡ−１（第１動作形態）」と「動作パターンＰＴＡ−２（第１動作形態となった後に第２動作形態）」が含まれることが記載され、「スーパーリーチＡ（大当り）変動パターンの場合は、スーパーリーチＡ（ハズレ）変動パターンの場合よりも、「動作パターンＰＴＡ−２（第１動作形態後に第２動作形態）」の可動体演出が実行され易くなって」いることが記載されている。
　
　したがって、引用文献１には、次の技術事項が記載されている。
　「スーパーリーチＡ（大当り）変動パターンの場合は、スーパーリーチＡ（ハズレ）変動パターンの場合よりも、「動作パターンＰＴＡ−１（第１動作形態）」よりも、「動作パターンＰＴＡ−２（第２動作形態）」の可動体演出が実行され易くなっていること。」
（４）対比
　本件補正発明と引用発明とを、分説に従い対比する。
　　（ａ、ｉ）
　引用発明の「開口２ｃ」、「遊技盤２」、「遊技者にとって有利なラウンドを所定回数実行する特定遊技状態としての大当り遊技状態」、「パチンコ遊技機１」は、それぞれ、本件補正発明の「開口部」、「遊技盤」、「遊技者に有利な有利遊技状態」、「遊技機」に相当する。
　したがって、引用発明の構成ａ、ｉは、本件補正発明の構成Ａ、Ｉに相当する。
　
　　（ｂ）
　引用発明の「演出図柄の変動表示制御や予告演出といった遊技に関連する各種演出」は、本件補正発明の「所定の演出」に相当する。
　したがって、引用発明の構成ｂの「演出制御用ＣＰＵ１２０」は、本件補正発明の構成Ｂの「演出実行手段」としての機能を有する。
　
　　（ｃ）
　引用発明の「可動体ユニット」の「第１可動体３００」は、本件補正発明の「可動体」に相当するから、引用発明の「遊技盤２と該遊技盤２の背面側に設けられる演出表示装置５Ａ，５Ｘ，５Ｙとの間に」「第１可動体３００を有」する「可動体ユニット」が「設けられた」ことは、本件補正発明の「遊技盤には、」「可動体が設置され」ることに相当する。
　そして、引用発明は、「遊技領域１０に」「各種可動体が遊技者から視認可能に設けられる、開口２ｃに対応する領域」が含まれるものである。
　また、引用発明の構成ｅによると、引用発明は、「可動体ユニットの第１動作形態にあって、第１演出位置に配置された第１可動体３００」と「第１突出状態にある第１突出部３０３が演出表示装置５Ａ，５Ｘ，５Ｙの前面側に配置され」、「可動体ユニットの第２動作形態にあって、第１演出位置に配置された第１可動体３００」と「第２突出状態にある第２突出部３０４が演出表示装置５Ａ，５Ｘ，５Ｙの前面側に配置され」るものである。
　そうすると、引用発明において、「遊技者」は、「演出表示装置５Ａ，５Ｘ，５Ｙの前面側に配置され」る「第１可動体３００」、「第１突出状態にある第１突出部３０３」、及び、「第２突出状態にある第２突出部３０４」を、「開口２ｃ」から「視認可能」である。
　したがって、引用発明の「遊技領域１０に」「各種可動体が遊技者から視認可能に設けられる、開口２ｃに対応する領域」が含まれることは、本件補正発明の「開口部から」「可動体」を「視認可能な」ことに相当する。
　よって、引用発明の構成ｃは、本件補正発明の構成Ｃに相当する。
　
　　（ｄ）
　引用発明の「本体部３０２」、「本体部３０２に対し」「収納動作可能に取付けられる第１突出部３０３」は、それぞれ、本件補正発明の「本体部」、「本体部に収納されている突出部」に相当する。
　そして、引用発明の「本体部３０２に対し突出および収納動作可能に取付けられる」「第２突出部３０４」と、本件補正発明の「本体部に収納されている突出部」とは、前者が、「本体部３０２に一部内蔵される第２収納状態」「に切換え可能となって」いることから、「本体部に少なくとも一部が収納されている突出部」である点で共通する。
　したがって、引用発明の構成ｄ、ｆと、本件補正発明の構成Ｄとは、「可動体は、本体部、および、本体部に少なくとも一部が収納されている突出部を有」することで共通する。
　
　　（ｅ）
　引用発明において、「第１突出状態にある第１突出部３０３」及び「第２突出状態にある第２突出部３０４」は、「本体部３０２から斜め前上方に向けて突出され」るものである。
　そうすると、引用発明の「第１突出部３０３および第２突出部３０４」は、構成ｄ、ｆによると、「本体部３０２に対し突出及び収納動作可能に取付けられる」ものであるから、「本体部３０２に対し」少なくとも一部が「収納」されている状態から、「突出」「動作可能」なものであり、本件補正発明の「本体部に収納されている状態から」「突出する」ことに相当する。
　同様に、引用発明の「第１突出状態にある第１突出部３０３、及び、第２突出状態にある第２突出部３０４が遊技盤２００の前方に位置」することは、本件補正発明の「突出部は」「遊技盤の前面よりも前方側に突出することが可能であ」ることに相当する。
　したがって、引用発明の構成ｅは、本件補正発明の構成Ｅに相当する。
　
　　（ｆ）
　引用発明の「第１突出部３０３」、「第２突出部３０４」は、それぞれ、本件補正発明の「第１の突出部」、「第２の突出部」に相当する。
　したがって、引用発明の構成ｄ、ｆは、本件補正発明の構成Ｆを含む。
　
　　（ｇ）
　上記（ｂ）より、引用発明の「演出制御用ＣＰＵ１２０」は、本件補正発明の「演出実行手段」としての機能を有する。
　そして、構成ｄ、ｆより、引用発明の「第１可動体３００は」、「本体部３０２」を含むものであって、その「本体部３０２に対し突出及び収納動作可能に」「第１突出部３０３及び第２突出部３０４」が「取付けられる」ものである。
　
　そうすると、引用発明の
　ｇ１　「第１可動体３００が、第１待機位置から斜め下方向に移動して第１演出位置に配置され」ること、
　ｇ２　「次に、右側面視反時計回りに第１回動位置まで回動されて第１回動状態とされ」ること、
　ｇ３　「その次に、第１突出部３０３を第１突出状態と」すること、
　ｇ４　「第１動作形態」、
　ｇ５　「第１突出部３０３を第１収納状態と」すること、
　ｇ６　「次に、右側面視時計回りに第２回動位置まで回動されて第２回動状態とされ」ること、
　ｇ７　「第２突出部３０４を第２突出状態と」すること、
　ｇ８　「第２動作形態」は、それぞれ、
　本件補正発明の
　Ｇ１　「本体部が所定の待機状態から所定方向に移動」すること、
　Ｇ２　「後に第１の方向に回転」すること、
　Ｇ３　「次いで第１の突出部が突出する」こと、
　Ｇ４　「第２演出」及び「本体部が所定の待機状態から所定方向に移動した後に第１の方向に回転し、次いで第１の突出部が突出」すること、
　Ｇ５　「本体部に収納され」ること、
　Ｇ６　「そこから本体部が第１の方向と反対の第２の方向に回転」すること、
　Ｇ７　「第２の突出部が突出する」こと、
　Ｇ８　「第３演出」に相当する。
　
　そして、引用発明の「第１可動体３００を」「凹円弧状経路ＲＴ１の途中位置ＰＳ１に進出させるように動作制御」する演出と、本件補正発明の「本体部が所定の待機状態から所定方向に移動するが、第１の突出部および第２の突出部が突出しない第１演出」とは、「本体部が所定の待機状態から所定方向に移動する」「第１演出」である点で共通する。
　
　したがって、引用発明の構成ｇと本件補正発明の構成Ｇとは、「演出実行手段は、」「本体部が所定の待機状態から所定方向に移動する」「第１演出と、本体部が所定の待機状態から所定方向に移動した後に第１の方向に回転し、次いで第１の突出部が突出する第２演出と、本体部が所定の待機状態から所定方向に移動した後に第１の方向に回転し、次いで第１の突出部が突出して本体部に収納され、そこから本体部が第１の方向と反対の第２の方向に回転し、第２の突出部が突出する第３演出と、を実行可能であ」ることで共通する。
　
　　（ｈ）
　引用発明における「途中位置ＰＳ１に進出させる」「動作演出」は、上記（ｇ）より、本件補正発明の「第１演出」に相当する。
　そして、引用発明の「第１進出位置に進出させる」「動作演出」は、上記（ｇ）より、本件補正発明の「第２演出」、又は、「第３演出」に対応する。
　そうすると、引用発明の「途中位置ＰＳ１に進出させる場合よりも、第１進出位置に進出させる場合の方が、遊技者に近い位置での動作演出となることと相まって、可動体演出の効果を高めて大当り期待度を高くすることができ」ることは、本件補正発明の「第１演出が実行された場合よりも第２演出が実行された場合の方が有利遊技状態になる可能性が高」いことに相当する。
　
　したがって、引用発明の構成ｈと本件補正発明の構成Ｈとは、「第１演出が実行された場合よりも第２演出が実行された場合の方が有利遊技状態になる可能性が高」いことで共通する。
　
　上記（ａ、ｉ）〜（ｈ）によれば、本件補正発明と引用発明は、
「Ａ　開口部が形成された遊技盤を備え、遊技者に有利な有利遊技状態になることがある遊技機であって、
　Ｂ　所定の演出を実行可能な演出実行手段を備え、
　Ｃ　前記遊技盤には、前記開口部から視認可能な可動体が設置され、
　Ｄ´前記可動体は、本体部、および、前記本体部に少なくとも一部が収納されている突出部を有し、
　Ｅ　前記突出部は、前記本体部に収納されている状態から前記遊技盤の前面よりも前方側に突出することが可能であり、
　Ｆ　前記突出部には、第１の突出部と、第２の突出部と、があり、
　Ｇ´前記演出実行手段は、前記本体部が所定の待機状態から所定方向に移動する第１演出と、前記本体部が前記所定の待機状態から前記所定方向に移動した後に第１の方向に回転し、次いで前記第１の突出部が突出する第２演出と、前記本体部が前記所定の待機状態から前記所定方向に移動した後に前記第１の方向に回転し、次いで前記第１の突出部が突出して前記本体部に収納され、そこから前記本体部が前記第１の方向と反対の第２の方向に回転し、前記第２の突出部が突出する第３演出と、を実行可能であり、
　Ｈ´　前記第１演出が実行された場合よりも前記第２演出が実行された場合の方が前記有利遊技状態になる可能性が高い
　Ｉ　遊技機。」の点で一致し、次の点で相違する。
　
［相違点１」（構成Ｄ）
　突出部に関して、本件補正発明は、突出部が、本体部に収納されているが、引用発明は、第１突出部３０３については、本体部３０２に内蔵される第１収納状態に切換え可能となっているが、第２突出部３０４については、本体部３０２に一部内蔵される第２収納状態に切換え可能となっている点。
　
［相違点２」（構成Ｇ）
　本体部が所定の待機状態から所定方向に移動する第１演出に関して、本件補正発明は、第１の突出部および第２の突出部が突出しないのに対して、引用発明は、第１突出部３０３及び第２突出部３０４が突出するか否か明らかでない点。
　
［相違点３」（構成Ｈ）
　第１演出が実行された場合よりも前記第２演出が実行された場合の方が前記有利遊技状態になる可能性が高いことに加え、本件補正発明は、第２演出が実行された場合よりも第３演出が実行された場合の方が有利遊技状態になる可能性が高いのに対して、引用発明は、「第１動作形態」や「第２動作形態」のいずれが実行された場合の方が有利状態になる可能性が高いのか不明である点。
　
　（５）当審判合議体の判断
　上記相違点について検討する。
　　　ア　相違点１について
　引用発明において、「第２突出部３０４」は、「本体部３０２に一部内蔵される第２収納状態」に「に切換え可能」となっているが、「第２収納状態にあっては、その一部が本体部３０２の面Ｂよりも外方に突出しているが、回動待機状態や第１回動状態において面Ｂの背面側に配置されているため、遊技者（正面側）から目立たなくなっている」ものである。
　そして、引用発明の「第２突出部３０４」の「第２収納状態」について、その一部を「本体部３０２に」「内蔵」させるか、その全部を「本体部３０２に」「内蔵」させるかは、「第２収納状態に」おいて、「第２突出部３０４」を「遊技者（正面側）から目立たなく」する必要の程度に応じて、当業者が適宜決定し得たことである。
　したがって、引用発明に基いて、上記相違点１に係る本件補正発明の構成とすることは、当業者が容易になし得たものである。
　
　　　イ　相違点２について
　引用発明において、「第１可動体３００」を「途中位置ＰＳ１」に進出させる「動作演出」について、「第１可動体３００」を「途中位置ＰＳ１」に進出させる動作以外に、「第１動作形態」に基づく「第１突出部３０３」の「突出」「動作」を伴う演出、もしくは、「第２動作形態」に基づく「第２突出部３０３」の「突出」「動作」を伴う演出を行うか否かについて検討する。
　　　（ア）まず、引用発明において、「本体部３０２」からの「第１突出部３０３」または「第２突出部３０４」の突出動作は、「第１可動体３００が、」「第１演出位置に配置され」て初めて実行されるものであり、「第１待機位置から」「第１演出位置」への移動途中において実行されることは、引用文献１には明示的に記載されていない。
　　　（イ）次に、引用発明は、「第１可動体３００は、本体部３０２が斜め前方下側に移動した後、第１突出部３０３が前透過板２５１と後透過板２６１との間に形成された空間部Ｓで斜め前方側上方に突出するため、後透過板２６１に接触させることなく、第１突出部３０３の移動動作を好適に見せることができ」るものであるため、「本体部３０２が斜め前方下側に移動」する途中で「第１突出部３０３」を「突出」させると、「後透過板２６１に接触」する恐れが生じるものである。
　そうすると、引用文献１に記載された技術事項において、「凹円弧状経路ＲＴ１の途中位置ＰＳ１に進出させ」た状態で「第１突出部３０３」を「突出」させると、「第１突出部３０３」が「後透過板２６１に接触」する恐れがあるといえる。
　　　（ウ）最後に、引用文献１に記載された技術事項は、「途中位置ＰＳ１に進出させる場合よりも、第１進出位置に進出させる場合の方が、遊技者に近い位置での動作演出となることと相まって、可動体演出の効果を高めて大当り期待度を高くすることができ」ることから、「第１可動体３００」を「途中位置ＰＳ１に進出させる場合」の可動体演出については、可動体演出の効果を低くする観点から、「第１動作形態」に基づく「第１突出部３０３」の「突出」「動作」を伴う演出、もしくは、「第２動作形態」に基づく「第２突出部３０３」の「突出」「動作」を伴う演出を行わない構成とすることが導かれるものである。
　上記（ア）〜（ウ）の検討内容からみて、引用発明において、「第１可動体３００」を「途中位置ＰＳ１に進出させる場合」の「動作演出」について、「第１突出部３０３」の「突出」「動作」を伴う演出、もしくは、「第２突出部３０３」の「突出」「動作」を伴う演出を行わないようにし、上記相違点２に係る本件補正発明の構成とすることは、当業者が適宜なし得たものである。
　
［相違点３」（構成Ｈ）
　第１演出が実行された場合よりも前記第２演出が実行された場合の方が前記有利遊技状態になる可能性が高いことに加え、本件補正発明は、第２演出が実行された場合よりも第３演出が実行された場合の方が有利遊技状態になる可能性が高いのに対して、引用発明は、「第１動作形態」や「第２動作形態」のいずれが実行された場合の方が有利状態になる可能性が高いのか不明である点で一応相違する。
　
　　　ウ　相違点３について
　引用発明の構成ｈによると、「途中位置ＰＳ１に進出させる場合」に実行される演出よりも、「第１進出位置に進出させる場合」に実行される「第１動作形態」による演出や、「第２動作形態」による演出の方が大当り期待度の高い演出であるといえる。
　一方、引用文献１に記載された技術事項によると、「第１動作形態」による演出よりも、「第２動作形態」による演出の方が大当り期待度の高い演出であるといえる。
　
　これらのことから、引用発明、引用文献１に記載された技術事項に基くと、「途中位置ＰＳ１に進出させる場合」に実行される演出、「第１進出位置に進出させる場合」に実行される「第１動作形態」による演出、「第１進出位置に進出させる場合」に実行される「第２動作形態」による演出の順に大当り期待度が高くなるといえる。
　したがって、引用発明に引用文献１に記載された技術事項を適用して上記相違点３に係る本件補正発明の構成とすることは当業者が容易になし得たものである。
　
　　　エ　効果について
　本件補正発明により奏される効果は、当業者が、引用発明及び引用文献１に記載された技術事項から予測し得た効果の範囲内のものであって、格別なものではない。
　
　　　オ　小括
　よって、本件補正発明は、引用発明及び引用文献１に記載された技術事項に基いて当業者が容易に発明をすることができたものであるから、特許法第２９条第２項の規定により、特許出願の際に独立して特許を受けることができないものである。
　
　（６）まとめ
　上記（１）〜（５）より、本件補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
　
第３　本願発明について
　１　本願発明
　本件補正は、上記のとおり却下されることとなったので、本願の請求項１に係る発明（以下「本願発明」という。）は、平成３１年４月１８日付け手続補正書の請求項１に記載された、次のとおりのものと認める。
「Ａ　開口部が形成された遊技盤を備え、遊技者に有利な有利遊技状態になることがある遊技機であって、
　Ｂ　所定の演出を実行可能な演出実行手段を備え、
　Ｃ　前記遊技盤には、前記開口部から視認可能な可動体が設置され、
　Ｄ　前記可動体は、本体部、および、前記本体部に収納されている突出部を有し、
　Ｇ１　前記本体部は少なくとも第１の動作と第２の動作を行うことが可能であり、
　Ｅ　前記突出部は、前記本体部に収納されている状態から前記遊技盤の前面よりも前方側に突出することが可能であり、
　Ｆ　前記突出部には、第１の突出部と、第２の突出部と、があり、
　Ｇ２　前記演出実行手段は、前記本体部が所定の待機状態から前記第１の動作を行ってから前記第１の突出部が突出する第１演出と、前記第１演出を実行した後に前記第１の突出部を前記本体部に収納し、前記本体部が前記第２の動作を行い、前記第２の突出部が突出する第２演出と、を実行可能であり、
　Ｈ１　前記第１演出が実行された場合よりも前記第２演出が実行された場合の方が前記有利遊技状態になる可能性が高い
　Ｉ　ことを特徴とする遊技機。」
　
　２　原査定の拒絶の理由
（進歩性）この出願の請求項１に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　　　　　　　　＜引用文献等一覧＞
　　１.特許第６３３４７５９号公報
　
　３　引用文献に記載された事項
　原査定の拒絶の理由に引用された引用文献１である特許第６３３４７５９号公報の記載事項及び引用発明の認定については、前記「第２　２−２（２）」に記載したとおりである。
　
　４　対比・判断
　本願発明は、前記「第２［理由］」で検討した本件補正発明における「第１の演出」を削除するとともに、「第２の演出」、「第３の演出」に関する限定を省くものである。
　　　
　そうすると、本願発明と引用発明とは、実質的に前記相違点１及び相違点３において相違し、その余の点で一致する。
　そして、相違点１及び相違点３についての判断は、前記「第２　２−２（５）当審判合議体の判断」において検討したように、引用発明、若しくは、引用発明及び引用文献１に記載された技術事項に基いて当業者が容易になし得たものである。
　　　
　５　むすび
　上記１〜４より、本願発明は、特許法第２９条第２項の規定に基いて特許を受けることができないものである。
　
　よって、結論のとおり審決する。